【手続補正書】
【提出日】平成20年10月29日(2008.10.29)
【手続補正１】
【補正対象書類名】特許請求の範囲
【補正対象項目名】請求項２６
【補正方法】変更
【補正の内容】
【請求項２６】
前記センサシステムは、更に、前記眼の網膜における前記光のスポット径を減少するように、前記光源光路に沿って配される１又は２以上の光学要素を含むこと
を特徴とする請求項２５に記載のシステム。
【手続補正２】
【補正対象書類名】特許請求の範囲
【補正対象項目名】請求項４７
【補正方法】変更
【補正の内容】
【請求項４７】
患者の眼の収差を同定する方法であって、以下のステップ：
第１照明状態を生成するよう構成された光源によって第１ターゲットを照明すること；
患者の第１の眼の瞳に対し、該第１の眼が第１照明状態を生成するよう構成された前記光源によって照明された前記第１ターゲットを眺めている間に、第１波面測定を実行すること；
第２照明状態を生成するよう構成された光源によって前記第１ターゲットを照明すること；
前記第１の眼の前記瞳に対し、該第１の眼が第２照明状態を生成するよう構成された前記光源によって照明された前記第１ターゲットを眺めている間に、第２波面測定を実行すること；及び
前記第１の眼の前記瞳の前記第１及び第２波面測定に基づいて、前記第２照明状態に対する前記第１の眼の前記瞳の反応を求めること
を含むこと
を特徴とする方法。
【手続補正３】
【補正対象書類名】特許請求の範囲
【補正対象項目名】請求項５０
【補正方法】変更
【補正の内容】
【請求項５０】
第１照明状態を生成するよう構成された光源によって第２ターゲットを照明する手段；
患者の第２の眼の瞳に対し、該第２の眼が第１照明状態を生成するよう構成された前記光源によって照明された前記第２ターゲットを眺めている間に、第１波面測定を実行する手段；
第２照明状態を生成するよう構成された光源によって前記第２ターゲットを照明する手段；
第２の眼の前記瞳に対し、該第２の眼が第２照明状態を生成するよう構成された前記光源によって照明された前記（第２）ターゲットを眺めている間に、第２波面測定を実行する手段；及び
前記瞳の前記第１及び第２波面測定に基づいて、前記第２照明状態に対する前記第２の眼の前記瞳の反応を求める手段
を更に有すること
を特徴とする請求項４９に記載のシステム。
【手続補正４】
【補正対象書類名】明細書
【補正対象項目名】０００１
【補正方法】変更
【補正の内容】
【０００１】
本出願は、米国仮特許出願第６０／５２０，２９４号、出願日２００３年１１月１４日及び米国仮特許出願第６０／５８１，１２７号（米国代理人整理番号ＯＰＨ．０２６ＰＲ）、出願日２００４年６月１８日、米国特許出願第１０／９７１，９３７号（米国代理人整理番号ＯＰＨ．０２６Ａ）、出願日２００４年１０月２２日、表題「レンズメータ及び波面センサ及び収差測定方法（Lensometers and Wavefront Sensors and Methods of Measuring Aberration）」及び米国特許出願第１０／９７１，７６９号（米国代理人整理番号ＯＰＨ．０２４Ａ）、出願日２００４年１０月２２日、表題「眼科診断装置（Ophthalmic Diagnostic Instrument）」に基づく優先権の利益を主張する。なお、これら出願の内容は引用を以って本書に繰り込みここに記載されているものとする。
【手続補正５】
【補正対象書類名】明細書
【補正対象項目名】００３２
【補正方法】変更
【補正の内容】
【００３２】
本発明の他の一実施形態では、一連の波面画像を分析する方法であって、以下のステップ：第１波面画像群を対象に供給すること、但し、該第１波面画像群の少なくとも１つの波面画像は眼の第１の瞬きの間に少なくとも部分的に遮蔽（obscured）された瞳を表すこと；前記第１波面画像群を分析して、眼の第１の瞬きの間に少なくとも部分的に遮蔽された瞳を表す第１波面画像を同定すること；前記第１波面画像に引き続いて生成される第２波面画像群を分析して、遮蔽されていない瞳を表す第２波面画像を同定すること；及び前記第２波面画像が生成された後に生成され遮蔽されていない瞳を表す少なくとも１つの波面画像を、前記第２波面画像群から求めること、但し、前記少なくとも１つの波面画像を求める操作は、前記瞬きが生起した時点に対し所定の時間間隔で生成された１つの画像の選択に基づくことを含むことを特徴とする方法が提供される。上記の方法は、更に、以下のステップ：前記第１波面像群中の１つの画像を分析し、該画像中における前記瞳の第１位置求めること、但し、該画像は、該瞳に対し第１位置に配される波面センサを用いて生成されたものであること；前記瞳の前記第１位置と所定の位置とを対比すること；及び前記瞳の前記第１位置が前記所定の位置と所定量だけ異なる場合、次の画像が第２位置における前記瞳を描写するよう、前記瞳に対する第２位置に前記波面センサを移動すること、但し、前記瞳の前記第２位置は、該瞳の前記第１位置よりも前記所定位置により近いこと、を含む。幾つか実施形態では、この方法は、更に、以下のステップ：前記第２波面像が生成された後に生成される複数の波面画像を記憶すること；前記記憶された画像（複数）を組合せて、平均画像を生成すること；及び前記平均画像から波面測定（結果）を求めること、を含む。他の一実施形態では、この方法は、更に、以下のステップ：平均画像からそれぞれ求められる個々の波面測定（結果）から構成される一組の波面測定（結果）を生成すること；前記一組の波面測定（結果）を対比して、前記複数の波面測定（結果）における異常（ないし差異）（anomalies）（複数）を同定すること；及び前記同定された異常（ないし差異）（複数）に基づいて前記対象の収差（複数）の補正を規定する１又は２以上の波面測定（結果）を、前記一組の波面測定（結果）において同定すること、を含む。
【手続補正６】
【補正対象書類名】明細書
【補正対象項目名】００４５
【補正方法】変更
【補正の内容】
【００４５】
波面センサアセンブリ１４は、波面光路５６と差込入射経路６８の両方に配置され、光軸２２に沿ってアライメントされ、かつ光軸２２に対し４５°の角度をなすよう位置調整されたビームスプリッタ６４も含む。幾つかの実施例では、ビームスプリッタ６４は、入射する光の９０％を反射しかつ１０％を透過する９０％／１０％ビームスプリッタ（以下、「９０／１０ビームスプリッタ６４」という。）として構成される。照明光学系から差込入射経路６８に沿って９０／１０ビームスプリッタ６４に伝播する眼光源５８からの光ビームが、９０／１０ビームスプリッタ６４の反射面で反射され、波面センサアセンブリ１４の光軸２２に沿ってプリズム４９を介して眼１８に伝播するように、９０／１０ビームスプリッタ６４は配置される。８０／２０、７０／３０等のような９０／１０以外の他の組合せの反射対透過比を使用することも可能である。
【手続補正７】
【補正対象書類名】明細書
【補正対象項目名】００６１
【補正方法】変更
【補正の内容】
【００６１】
他の実施例では、経路切換器３４は、２つの眼によって共有される視野にただ１つのターゲット（シングルターゲット）を生成するために使用することができる。シングルターゲットが使用される場合、１又は２以上のプリズム４９を、視覚光学系１２内の、眼１８とビームスプリッタ２０との間の可視光路１６上で位置調整し、近距離ターゲット及び／又は遠距離ターゲットのための輻輳角をシミュレートする距離において個々の眼からの像を集束する（集める）（converge）ことができる。可視光路１６をフレキシブルに構成することにより、患者は、測定される焦点（フォーカス）のための前補正後に、ターゲットを見ることが可能になる。眼科装置１０は、ＯＤ（doctor of optometry）又はＭＤ（doctor of medicine）プロトコル、近距離（near）対遠距離（far）、カブリ（fogging）対内部フォーカシング、前補正又は無補正、及び眼１８の測定中に使用するために望ましくあり得るその他の組合せを含むことができる。
【手続補正８】
【補正対象書類名】明細書
【補正対象項目名】００９２
【補正方法】変更
【補正の内容】
【００９２】
幾つかの実施例では、プロセスは、瞬き後の予め設定された時間間隔に基づいて更なる処理のために記憶されるべき画像を決定する。例えば、眼が瞬きしている間に撮影された一連の波面画像中に非遮蔽瞳を表す有効画像を同定（特定）した後に、タイマをスタートすることができ、この同定（特定）された画像に続いて生成される１又は２以上の画像が、瞬きが行われた後所定時間にバッファに記憶される。例えば、時間間隔は、例えば１０秒未満とすることができ、又は０．１０−０．２０、０．２０−０．３０、０．３０−０．４０、０．４０−０．５０、０．５０−０．６０、０．６０−０．７０、０．７０−０．８０、０．８０−０．９０、０．９０−１．００、１．００−１．１０、１．１０−１．２０、１．２０−１．３０、１．３０−１．４０、１．４０−１．５０、１．５０−１．６０、１．６０−１．７０、１．７０−１．８０、１．８０−１．９０、１．９０−２．００、２．００−２．１０、２．１０−２．２０、２．２０−２．３０、２．３０−２．４０、２．４０−２．５０、２．５０−２．６０、２．６０−２．７０、２．７０−２．８０、２．８０−２．９０、２．９０−３．００、３．００−３．１０、３．１０−３．２０、３．２０−３．３０、３．３０−３．４０、３．４０−３．５０、３．５０−３．６０、３．６０−３．７０、３．７０−３．８０、３．８０−３．９０、３．９０−４．００（単位：秒）に等しいか、又はそれらの間とすることができ、又は４．００秒よりも長くすることもできる。好ましい一実施例では、時間間隔は、凡そ１．００秒である。このプロセスの実行によって、患者は波面測定装置を覗き込みつつ普段どおりに瞬きすることができるが、データを汚染する可能性のある瞬き中、又はその直後に画像を取り込む可能性は排除される。従って、分析のために同定（特定）される画像は、常に、瞬き後のほぼ同じ時点からのものである。タイミング基準に適合しない画像は、この分析から破棄することができる。代替的一実施例では、プロセスは、１つの画像が非遮蔽瞳を表すことを求めた（確認した）後に生成される画像の数に基づいて、更なる処理のために記憶されるべき画像を決定する。